(57)【要約】【課題】並列冗長電源間の劣化均一化と、省エネルギー化を簡単な構成と制御で可能とする並列電源システムを提供する。【解決手段】並列電源システムにおいて、内部部品の温度を検出する部品温度検出部５を有する複数の並列冗長電源３−１〜３−３と、複数の並列冗長電源３−１〜３−３へ電力を供給した際のそれぞれの通電時間を記憶する通電時間記憶部６を有するＡＣ電源スイッチ２と、部品温度検出部５からの部品温度の情報、および通電時間記憶部６に記憶された通電時間の情報に基づいて、複数の並列冗長電源３−１〜３−３のそれぞれについて、部品劣化を演算する部品劣化演算部７と、部品劣化演算部７の演算結果に基づいて、複数の並列冗長電源３−１〜３−３の間で部品劣化のばらつきがあった場合、最も部品劣化が進んでいる並列冗長電源への電力の供給を遮断させるＡＣ電源スイッチ制御部９とを有する並列運転制御部１とを備えた。【選択図】図１
2010016921.tif 000002
【特許請求の範囲】
【請求項１】
負荷へ電力を供給する複数の並列冗長電源と、
外部電源に接続され、前記複数の並列冗長電源のそれぞれに個別に電力を供給するＡＣ電源スイッチと、
前記ＡＣ電源スイッチを制御し、前記複数の並列冗長電源への電力の供給を個別に制御する並列運転制御部とを備え、
前記並列冗長電源は、内部部品の温度を検出する部品温度検出部を有し、
前記ＡＣ電源スイッチは、前記複数の並列冗長電源へ電力を供給した際のそれぞれの通電時間を記憶する通電時間記憶部を有し、
前記並列運転制御部は、前記複数の並列冗長電源の前記部品温度検出部からの部品温度の情報、および前記ＡＣ電源スイッチの通電時間記憶部に記憶された通電時間の情報に基づいて、前記複数の並列冗長電源のそれぞれについて、部品劣化を演算する部品劣化演算部と、前記部品劣化演算部の演算結果に基づいて、前記複数の並列冗長電源の間で前記部品劣化のばらつきがあった場合、最も前記部品劣化が進んでいる前記並列冗長電源への電力の供給を遮断させるＡＣ電源スイッチ制御部とを有することを特徴とする並列電源システム。
【請求項２】
請求項１記載の並列電源システムにおいて、
前記並列冗長電源は、出力電力を検出する電力検出部を有し、
前記並列運転制御部は、前記複数の並列冗長電源の前記電力検出部からの出力電力の情報に基づいて、負荷電力を算出する電力計算部を有し、
前記並列運転制御部のＡＣ電源スイッチ制御部は、前記部品劣化演算部の演算結果および前記電力計算部で算出された負荷電力の情報に基づいて、前記負荷電力に対して、現在電力が供給されている前記並列冗長電源全体での供給可能電力が、前記並列冗長電源の２台分以上大きく、前記複数の並列冗長電源の間で前記部品劣化のばらつきがあった場合、最も前記部品劣化が進んでいる前記並列冗長電源への電力の供給を遮断させることを特徴とする並列電源システム。
【請求項３】
請求項２記載の並列電源システムにおいて、
前記並列運転制御部のＡＣ電源スイッチ制御部は、前記部品劣化演算部の演算結果および前記電力計算部で算出された負荷電力の情報に基づいて、前記負荷電力に対して、現在電力が供給されている前記並列冗長電源全体での供給可能電力が、前記並列冗長電源の１台分より小さい場合、電力を遮断している前記並列冗長電源に電力を供給させることを特徴とする並列電源システム。
【請求項４】
負荷へ電力を供給する複数の並列冗長電源と、
外部電源に接続され、スイッチ制御により前記複数の並列冗長電源のそれぞれに個別に電力を供給するＡＣ電源スイッチと、
前記ＡＣ電源スイッチを制御し、前記複数の並列冗長電源への電力の供給を制御する並列運転制御部とを備え、
前記並列冗長電源は、出力電力を検出する電力検出部を有し、
前記並列運転制御部は、前記複数の並列冗長電源の前記電力検出部からの出力電力の情報に基づいて、負荷電力を算出する電力計算部と、前記電力計算部からの前記負荷電力の情報に基づいて、前記複数の並列冗長電源の内、１台当たりの電力変換効率が向上する台数分の前記並列冗長電源に電力を供給させるＡＣ電源スイッチ制御部とを有することを特徴とする並列電源システム。
【請求項５】
負荷へ電力を供給する複数の並列冗長電源と、
外部電源に接続され、スイッチ制御により前記複数の並列冗長電源のそれぞれに個別に電力を供給するＡＣ電源スイッチと、
前記ＡＣ電源スイッチを制御し、前記複数の並列冗長電源への電力の供給を制御する並列運転制御部とを備え、
前記並列冗長電源は、内部部品の温度を検出する部品温度検出部と、出力電力を検出する電力検出部とを有し、
前記ＡＣ電源スイッチは、前記複数の並列冗長電源へ電力を供給した際のそれぞれの通電時間を記憶する通電時間記憶部を有し、
前記並列運転制御部は、前記複数の並列冗長電源の前記部品温度検出部からの部品温度の情報、および前記ＡＣ電源スイッチの通電時間記憶部に記憶された通電時間の情報に基づいて、前記複数の並列冗長電源のそれぞれについて、部品劣化を演算する部品劣化演算部と、前記複数の並列冗長電源の前記電力検出部からの出力電力の情報に基づいて、負荷電力を算出する電力計算部と、前記部品劣化演算部の演算結果に基づいて、前記複数の並列冗長電源の間で前記部品劣化のばらつきがあった場合、最も前記部品劣化が進んでいる前記並列冗長電源への電力の供給を遮断させるか、または前記電力計算部からの前記負荷電力の情報に基づいて、前記複数の並列冗長電源の内、１台当たりの電力変換効率が向上する台数分の前記並列冗長電源に電力を供給させるＡＣ電源スイッチ制御部を有することを特徴とする並列電源システム。
【発明の詳細な説明】
【技術分野】
【０００１】
本発明は、複数の並列冗長電源を備えた並列電源システムに関し、特に、複数の並列冗長電源の劣化の均一化の制御と複数の並列冗長電源全体での電力変換効率の向上の制御に関するものである。
【背景技術】
【０００２】
従来、電子装置の負荷に安定した電力を供給する電源として、電源１台が故障した場合においても電力の供給を継続するために複数の電源を並列に接続し電源に冗長性を持たせた並列冗長電源があった。
【０００３】
この並列冗長電源間において冷却条件が均一でない等の原因から部品温度にばらつきが発生することにより、この部品温度のばらつきが起因となり並列冗長電源間の劣化に進行差が生じる。この為、劣化が最も進んだ並列冗長電源の寿命が相対的に短くなり、並列冗長電源全体としての寿命を早めてしまい信頼性を低下させる要因となっていた。
【０００４】
この対策として、例えば、国際公開第９９／２５０５２号パンフレット（特許文献１）に記載のものは、部品温度のばらつきを補正するために温度が高くなった並列冗長電源の出力電流を減少させ、一方で温度が低くなった並列冗長電源の電流を増加させるといった電流制御により温度の均一化を図ろうとするものである。
【０００５】
また、並列冗長電源から安定した電力の供給が必要な電子装置は、動作状態により負荷電力が大きく変動するのが一般的である。並列冗長電源等の現在主流であるスイッチング方式電源の電力変換効率は出力電力によって変化する特性を持っているため、前述した負荷電力の変動は並列冗長電源の電力変換効率に影響し並列冗長電源全体の電力損失の増減に繋がる。
【特許文献１】国際公開第９９／２５０５２号パンフレット
【発明の開示】
【発明が解決しようとする課題】
【０００６】
しかしながら、特許文献１に記載のように、並列冗長電源間の劣化ばらつきを防止する手段である電流制御の方法は、各並列冗長電源に電流検出回路、電流制御回路を設ける必要があり複雑な制御が要求されるという問題があった。また、並列冗長電源内の部品点数増加により、小型化の妨げとなったり信頼性が低下する問題があった。
【０００７】
さらに、負荷の電力変動により並列冗長電源の電力変換効率が低下する負荷電力となった場合に、並列冗長電源全体の電力損失が大きくなるといった問題があった。
【０００８】
そこで、本発明の目的は、並列冗長電源間の劣化均一化と、省エネルギー化を簡単な構成と制御で可能とする並列電源システムを提供することにある。
【０００９】
本発明の前記ならびにその他の目的と新規な特徴は、本明細書の記述および添付図面から明らかになるであろう。
【課題を解決するための手段】
【００１０】
本願において開示される発明のうち、代表的なものの概要を簡単に説明すれば、次のとおりである。
【００１１】
すなわち、代表的なものの概要は、内部部品の温度を検出する部品温度検出部を有する並列冗長電源と、複数の並列冗長電源へ電力を供給した際のそれぞれの通電時間を記憶する通電時間記憶部を有するＡＣ電源スイッチと、複数の並列冗長電源の部品温度検出部からの部品温度の情報、およびＡＣ電源スイッチの通電時間記憶部に記憶された通電時間の情報に基づいて、複数の並列冗長電源のそれぞれについて、部品劣化を演算する部品劣化演算部と、部品劣化演算部の演算結果に基づいて、複数の並列冗長電源の間で部品劣化のばらつきがあった場合、最も部品劣化が進んでいる並列冗長電源への電力の供給を遮断させるＡＣ電源スイッチ制御部とを有する並列運転制御部とを備えたものである。
【発明の効果】
【００１２】
本願において開示される発明のうち、代表的なものによって得られる効果を簡単に説明すれば以下のとおりである。
【００１３】
すなわち、代表的なものによって得られる効果は、簡単な制御と比較的少ない部品点数で並列冗長電源間の劣化の均一化および省エネルギー化を実現することができる。
【発明を実施するための最良の形態】
【００１４】
以下、本発明の実施の形態を図面に基づいて詳細に説明する。なお、実施の形態を説明するための全図において、同一の部材には原則として同一の符号を付し、その繰り返しの説明は省略する。
【００１５】
（実施の形態１）
図１により、本発明の実施の形態１に係る並列電源システムの構成について説明する。図１は本発明の実施の形態１に係る並列電源システムの構成を示す構成図である。
【００１６】
図１において、並列電源システムは、負荷４に共通の負荷として電力を供給する複数の並列冗長電源３（３−１〜３−３）、並列冗長電源３−１〜３−３への電力供給および遮断を個別に実施可能とするＡＣ電源スイッチ２、ＡＣ電源スイッチ２を制御する並列運転制御部１から構成されている。
【００１７】
並列冗長電源３−１〜３−３は、部品温度を検出する部品温度検出部５を備えている。
【００１８】
ＡＣ電源スイッチ２は、外部電源１０が接続され、並列冗長電源３−１〜３−３へ電力を供給した通電時間を記憶する通電時間記憶部６を備えている。
【００１９】
並列運転制御部１は、部品温度検出部５からの温度情報と通電時間記憶部６からの通電時間情報を元に並列冗長電源３−１〜３−３の部品の劣化を演算する部品劣化演算部７、部品劣化演算部７の演算結果を記憶する部品劣化情報記憶部８、ＡＣ電源スイッチ２を制御するＡＣ電源スイッチ制御部９を備えている。
【００２０】
次に、図２により、本発明の実施の形態１に係る並列電源システムの制御フローについて説明する。図２は本発明の実施の形態１に係る並列電源システムの制御フローを示すフローチャートである。
【００２１】
まず、並列運転制御部１が運転開始し（ステップ３１）、ＡＣ電源スイッチ２は全並列冗長電源３−１〜３−３に電力を供給し、並列冗長電源３−１〜３−３が運転開始する（ステップ３２）。
【００２２】
そして、部品劣化演算部７は、並列冗長電源３−１〜３−３の部品温度検出部５より部品温度情報および通電時間記憶部６から通電時間情報を呼び込み（ステップ３３）、部品温度と通電時間の情報から予め準備された計算方法により部品劣化を演算し、結果を部品劣化情報記憶部８に記憶する（ステップ３４）。
【００２３】
この予め準備された計算方法は、例えば温度測定した部品が電解アルミコンデンサの場合、アレニウスの法則による。温度測定する部品は電解アルミコンデンサでなくてもよい。また、複数部品の測定でもよいが、並列冗長電源３内の最短寿命部品を代表し測定することが望ましい。
【００２４】
ステップ３４の演算結果よりＡＣ電源スイッチ制御部９は、並列冗長電源３−１〜３−３の劣化ばらつきを比較し（ステップ３５）、ステップ３５で劣化ばらつきがあれば、ステップ３６に進み、劣化均一化のために電力が遮断されている並列冗長電源３があるか否かを判断する。
【００２５】
ステップ３６で電力が遮断されている並列冗長電源３がなければ、並列冗長電源３−１〜３−３の中から劣化が最も進んでいる１台の電力供給をＡＣ電源スイッチ２により遮断し、並列冗長電源３の冗長性よりも劣化の均一化を優先し部品温度を下げ（ステップ３７）、ステップ３３に戻る。
【００２６】
また、ステップ３６で電力が遮断されている並列冗長電源３があれば、これ以上、並列冗長電源３の電力を遮断できないので、ステップ３３に戻る。
【００２７】
ステップ３５で劣化にばらつきがなければ、電力が遮断している並列冗長電源３があるか否かを判断し（ステップ３８）、ステップ３８で電力が遮断している並列冗長電源３がなければ、ステップ３３に戻り、ステップ３８で電力が遮断している並列冗長電源３があれば、並列冗長電源３の劣化ばらつきがないため、電力が遮断している並列冗長電源３へ電力を供給する（ステップ３９）。
【００２８】
また、劣化のばらつきが発生しない場合はステップ３３、ステップ３４、ステップ３５、ステップ３８、ステップ３３の順にループし、劣化のばらつきの有無を監視する。
【００２９】
本実施の形態では、並列冗長電源３への電力遮断により部品温度を下げることで、複数の並列冗長電源３の間の劣化を均一化し、並列冗長電源３全体としての信頼性向上を簡単な制御方法と比較的少ない部品点数で実現することが可能である。
【００３０】
（実施の形態２）
実施の形態２は、実施の形態１において、並列電源システムを並列冗長電源３−１〜３−３の冗長性を保ちながら複数の並列冗長電源３の間の劣化を均一化させるものである。
【００３１】
図３により、本発明の実施の形態２に係る並列電源システムの構成について説明する。図３は本発明の実施の形態２に係る並列電源システムの構成を示す構成図である。
【００３２】
図３において、並列電源システムは、図１に示す実施の形態１の並列電源システムに対して、並列冗長電源３−１〜３−３に出力電流と出力電圧を検出し電力を演算する電力検出部１２を追加し、並列運転制御部１に各並列冗長電源３−１〜３−３からの電力情報を読み取り電力の総和から負荷４の負荷電力を求め、また、並列冗長電源３−１〜３−３の稼動数と予め準備された並列冗長電源定格との積により並列冗長電源３−１〜３−３が負荷４へ供給可能な電力を計算する機能を持った電力計算部１１を追加した構成であり、他の構成は、実施の形態１と同様である。
【００３３】
次に、図４により、本発明の実施の形態２に係る並列電源システムの制御フローについて説明する。図４は本発明の実施の形態２に係る並列電源システムの制御フローを示すフローチャートである。
【００３４】
まず、並列運転制御部１が運転開始し（ステップ５１）、ＡＣ電源スイッチ２は全並列冗長電源３−１〜３−３に電力を供給し並列冗長電源３−１〜３−３が運転開始する（ステップ５２）。
【００３５】
以下、ステップ５３〜ステップ５７までは、図２に示す実施の形態１の制御フロー（ステップ３３〜ステップ３５、ステップ３８，ステップ３９）と同一である。
【００３６】
実施の形態１では、劣化の均一化を優先とし並列冗長電源３−１〜３−３のいずれかの電力を遮断している期間は並列冗長電源３−１〜３−３が冗長構成になっていないため、並列冗長電源３−１〜３−３の万一の故障に備え冗長性を確保するために、ステップ５８以下の動作を行う。
【００３７】
電力計算部１１は、電力検出部１２からの電力情報に基づいて、電力値の呼び込みおよび電力値総和から負荷４の負荷電力を算出し（ステップ５８）、電源の稼動台数と電源定格との積から、並列冗長電源３の供給可能な電力を算出する（ステップ５９）。
【００３８】
ＡＣ電源スイッチ制御部９は、電力計算部１１からの電力情報を受け、並列冗長電源３の供給可能な電力と負荷４の負荷電力を比較し、負荷電力に対し全並列冗長電源３の供給可能な電力との差分が並列冗長電源定格の２台分＋余裕電力以上［判定式（供給可能電力―負荷電力≧電源定格２台分＋余裕電力）］あるか否かを判断する（ステップ６０）。
【００３９】
ステップ６０で、負荷電力に対し全並列冗長電源３の供給可能な電力との差分が並列冗長電源定格の２台分＋余裕電力以上ある場合に、劣化が最も進んでいる並列冗長電源３の中の１台の電力を遮断する（ステップ６１）。
【００４０】
ステップ６０において、判定式（供給可能電力―負荷電力≧電源定格２台分＋余裕電力）の右辺に余裕電力を追加しているが、この余裕電力は負荷４の負荷電力の急速な増加による電力不足を防止するために設けてあり任意の電力値を設定可能とする。
【００４１】
また、ステップ６０で、負荷電力に対し全並列冗長電源３の供給可能な電力との差分が並列冗長電源定格の２台分＋余裕電力以上ない場合は、負荷電力に対し全並列冗長電源３の供給可能な電力との差分が並列冗長電源定格の１台分＋余裕電力以上［判定式（供給可能電力―負荷電力≧電源定格１台分＋余裕電力）］あるか否かを判断する（ステップ６２）。
【００４２】
ステップ６２で、負荷電力に対し全並列冗長電源３の供給可能な電力との差分が並列冗長電源定格の１台分＋余裕電力以上ある場合はステップ５３に戻る。
【００４３】
また、ステップ６２で、負荷電力に対し全並列冗長電源３の供給可能な電力との差分が並列冗長電源定格の１台分＋余裕電力以上ない場合は、電力が遮断している電源１台に電力を供給し（ステップ６３）、並列冗長電源３の冗長性が必ず確保されるように制御する。
【００４４】
本実施の形態では、夜間などで負荷電力が減少した時間を利用し、並列冗長電源３の冗長性を確保しながら並列冗長電源３の劣化均一化を簡単な制御と比較的少ない部品点数で実現することが可能である。
【００４５】
また、本実施の形態での並列運転制御部１およびＡＣ電源スイッチ２が備える各機能は、並列運転制御部１およびＡＣ電源スイッチ２のどちらに備えてもよい。さらに並列運転制御部１およびＡＣ電源スイッチ２は１つの装置に纏めてもよい。
【００４６】
（実施の形態３）
実施の形態３は、実施の形態２において、並列運転制御部１が備えるＡＣ電源スイッチ制御部９の制御方法を変更することで、並列冗長電源３が冗長性を保ちながら省エネルギー化を図るものである。
【００４７】
図５により、本発明の実施の形態３に係る並列電源システムの構成について説明する。図５は本発明の実施の形態３に係る並列電源システムの構成を示す構成図である。
【００４８】
図５において、並列電源システムは、図３に示す実施の形態２の並列電源システムに対して、部品温度検出部５、部品劣化演算部７、部品劣化情報記憶部８を削除した構成であり、他の構成は、実施の形態２と同様である。
【００４９】
次に、図６および図７により、本発明の実施の形態３に係る並列電源システムの制御フローについて説明する。図６は本発明の実施の形態３に係る並列電源システムの制御フローを示すフローチャート、図７は本発明の実施の形態３に係る並列電源システムの制御フローの１台の電力遮断時に電力変換効率が向上するかの判断処理の詳細を示すフローチャートである。
【００５０】
まず、図６に示すように、並列運転制御部１が運転開始し（ステップ７１）、ＡＣ電源スイッチ２は全並列冗長電源３−１〜３−３に電力を供給し、並列冗長電源３−１〜３−３が運転開始する（ステップ７２）。
【００５１】
以下、ステップ７３〜ステップ７５までは、図４に示す実施の形態２の制御フロー（ステップ５８〜ステップ６０）と同一である。
【００５２】
そして、ＡＣ電源スイッチ制御部９は、電力計算部１１から電力情報を受け取り、並列冗長電源３の中の１台の電力を遮断した場合の並列冗長電源３の電力変換効率と電力を遮断する前の電力変換効率を計算し、それらの結果を比較し、１台の電力遮断時に電力変換効率が向上するか否かを判断する（ステップ７６）。
【００５３】
ステップ７６で、１台の電力遮断時に電力変換効率が向上する場合は、並列冗長電源３の中の１台の電力を遮断する（ステップ７７）。これにより並列冗長電源３の電力変換効率を向上させることで電力損失を低減し、同時に電力を遮断した並列冗長電源３の待機電力を削減する。
【００５４】
また、ステップ７６で、１台の電力遮断時に電力変換効率が向上しない場合は、並列冗長電源３の中の１台に電力を供給した場合に並列冗長電源３の電力変換効率が向上するか否かを判断する（ステップ８０）。
【００５５】
ステップ８０で、並列冗長電源３の中の１台に電力を供給した場合に並列冗長電源３の電力変換効率が向上する場合は、並列冗長電源３の中の１台に電力を供給し（ステップ８１）、並列冗長電源３の中の１台に電力を供給した場合に並列冗長電源３の電力変換効率が向上しない場合は、ステップ７３に戻る。
【００５６】
これにより、ステップ７７と同様に、電力変換効率を向上させ電力損失を低減し省エネルギー化を実現する。
【００５７】
また、ステップ７８、ステップ７９は、実施の形態２のステップ５６、ステップ５７と同様に並列冗長電源３の冗長性が必ず保たれるように制御する。
【００５８】
また、ステップ７６での１台の電力遮断時に電力変換効率が向上するか否かの詳細制御フローとしては、図７に示すように、図６のステップ７６より前の処理で算出した負荷電力と電源稼動数の情報により、並列冗長電源１台当たりの出力電力を算出する（ステップ９１）。
【００５９】
そして、ステップ９１で算出した出力電力を、予め準備された並列冗長電源３の出力電力と電力変換効率の関係を示すテーブルを参照し、電力変換効率Ａを算出する（ステップ９２）。
【００６０】
そして、稼動電源数が１台減った場合の出力電力を算出し（ステップ９３）、ステップ９２同様に電力変換効率Ｂを算出する（ステップ９４）。
【００６１】
そして、電力変換効率Ａと電力変換効率Ｂの大きさを比較し、電力変換効率Ｂが電力変換効率Ａより大きい［判定式（電力変換効率Ｂ＞電力変換効率Ａ）］か否かを判断する（ステップ９５）。
【００６２】
ステップ９５で電力変換効率Ｂが電力変換効率Ａより大きい場合は「ＹＥＳ」の結果、ステップ９５で電力変換効率Ｂが電力変換効率Ａ以下の場合は「ＮＯ」の結果となる。
【００６３】
また、図６のステップ８０での詳細制御フローも、図７に示す制御フローと同様であるが、図７に示す制御フローのステップ９３の処理を、稼動台数が１台増えた場合の電源変換効率Ｂを算出している。
【００６４】
次に、図８により、本発明の実施の形態３に係る並列電源システムの省エネルギー化が有効な場合の構成について説明する。図８は本発明の実施の形態３に係る並列電源システムの省エネルギー化が有効な場合の構成を示す構成図である。
【００６５】
図８において、並列冗長電源３と負荷４の構成は、並列冗長電源３はｎ台（３−１〜３−ｎ）までの並列接続を可能とし、負荷４はｍ台（４−１〜４−ｍ）まで並列接続を可能とする。
【００６６】
また、図８において、例えば負荷４は負荷４−１、４−２の２台が稼動し、並列冗長電源３は３−１、３−２、３−３の３台が稼動していたとする。
【００６７】
負荷４−２がメンテナンス等の理由によりオフし、負荷４−１のみの稼動となった場合に、上述の図６に示す制御フローにより、並列運転制御部１は並列冗長電源３の１台の電力を遮断させた場合においても冗長性を保ちながら負荷４−１に電力が供給可能と判断され、かつ、並列冗長電源３台稼動時と２台稼動時の電力変換効率をそれぞれ計算し比較した結果、２台稼動時の電力変換効率が高いと判断されると、並列冗長電源３の中の１台の電力が遮断され電力変換効率の向上を図ることが可能である。
【００６８】
また、前述の電力を遮断した並列冗長電源３の１台の待機電力を削減することにより省エネルギー化の手段を簡単な制御と比較的少ない部品点数で実現することが可能である。
【００６９】
以上、本発明者によってなされた発明を実施の形態に基づき具体的に説明したが、本発明は前記実施の形態に限定されるものではなく、その要旨を逸脱しない範囲で種々変更可能であることはいうまでもない。
【００７０】
例えば、ＡＣ電源スイッチ２および並列運転制御部１により並列冗長電源３への電力供給を制御することにより、実施の形態１、２では、複数の並列冗長電源３の間の劣化均一化を行い、並列冗長電源３全体としての信頼性を向上させ、実施の形態３では、電力変換効率を向上させているが、並列運転制御部１に両者の機能を持たせ、ユーザなどからの操作指示などにより、並列冗長電源３の間の劣化均一化と、電力変換効率の向上を切り替えて制御するようにしてもよい。
【００７１】
これにより、並列電源システムハードウェアの構成を変えることなくユーザの用途によって容易に並列電源の制御を行うことが可能である。
【産業上の利用可能性】
【００７２】
本発明は、複数の並列冗長電源を備えた並列電源システムに関し、複数の並列冗長電源の劣化の均一化や、複数の並列冗長電源全体での電力変換効率の向上が必要な機器に広く適用可能である。
【図面の簡単な説明】
【００７３】
【図１】本発明の実施の形態１に係る並列電源システムの構成を示す構成図である。
【図２】本発明の実施の形態１に係る並列電源システムの制御フローを示すフローチャートである。
【図３】本発明の実施の形態２に係る並列電源システムの構成を示す構成図である。
【図４】本発明の実施の形態２に係る並列電源システムの制御フローを示すフローチャートである。
【図５】本発明の実施の形態３に係る並列電源システムの構成を示す構成図である。
【図６】本発明の実施の形態３に係る並列電源システムの制御フローを示すフローチャートである。
【図７】本発明の実施の形態３に係る並列電源システムの制御フローの１台の電力遮断時に電力変換効率が向上するかの判断処理の詳細を示すフローチャートである。
【図８】本発明の実施の形態３に係る並列電源システムの省エネルギー化が有効な場合の構成を示す構成図である。
【符号の説明】
【００７４】
１…並列運転制御部、２…ＡＣ電源スイッチ、３−１〜３−ｎ…並列冗長電源、４−１〜４−ｍ…負荷、５…部品温度検出部、６…通電時間記憶部、７…部品劣化演算部、８…部品劣化情報記憶部、９…ＡＣ電源スイッチ制御部、１０…外部電源、１１…電力計算部、１２…電力検出部。
【図１】
2010016921.tif 000003
【図２】
2010016921.tif 000004
【図３】
2010016921.tif 000005
【図４】
2010016921.tif 000006
【図５】
2010016921.tif 000007
【図６】
2010016921.tif 000008
【図７】
2010016921.tif 000009
【図８】
2010016921.tif 000010